(57)【要約】【課題】この発明は、広音域で繊細な音を高解像度でクリアに再現できるオーディオ用ケーブル及びスピーカー接続方法を提供することを目的とする。【解決手段】オーディオ用ケーブル１０を、中央に配置した中央導体２０と、該中央導体２０を覆う絶縁被覆層３０と、該絶縁被覆層３０の外周に沿って層状に配置し、絶縁被覆膜４２で被覆された複数の外層導体４０とで構成した。【選択図】図１
2019003764.tif 000002
【特許請求の範囲】
【請求項１】
中央に配置した中央導体と、
該中央導体の外周に沿って層状に配置し、絶縁被覆膜で被覆された複数の外層導体とで構成された
オーディオ用ケーブル。
【請求項２】
前記中央導体を覆う絶縁被覆層が設けられた
請求項１に記載のオーディオ用ケーブル。
【請求項３】
前記絶縁被覆層と、前記絶縁被覆膜とが同素材で構成された
請求項２に記載のオーディオ用ケーブル。
【請求項４】
前記絶縁被覆膜が、前記絶縁被覆層より薄肉である
請求項２又は３に記載のオーディオ用ケーブル。
【請求項５】
前記中央導体が複数の素線を撚り合わせた撚線導体で構成された
請求項１乃至４のうちいずれかに記載のオーディオ用ケーブル。
【請求項６】
前記撚線導体が同芯撚りされ、
前記外層導体が同芯横巻きで撚り合わされた
請求項５に記載のオーディオ用ケーブル。
【請求項７】
前記撚線導体を構成する前記素線の本数が、前記外層導体の本数より多く、
前記素線の断面径が前記外層導体の断面径以下である
請求項５または６に記載のオーディオ用ケーブル。
【請求項８】
前記中央導体の断面積と、前記外層導体の合計断面積とが同程度である
請求項１乃至７のうちいずれかに記載のオーディオ用ケーブル。
【請求項９】
前記外層導体が、
銅製あるいは銅合金製の中央導線部と、該中央導線部の外周側に配置した銀製あるいは銀合金製の外周導線部を一体化させた複合導線と、
該複合導線の外側を被覆する絶縁被覆膜とで構成された
請求項１乃至８のうちいずれかに記載のオーディオ用ケーブル。
【請求項１０】
中央に配置した中央導体と、該中央導体の外周に沿って層状に配置し、絶縁被覆膜で被覆された複数の外層導体とで構成された二層ケーブル導体が複数本配置され、シースで覆われた
オーディオ用ケーブル。
【請求項１１】
請求項１乃至１０のうちいずれかに記載のオーディオ用ケーブルにおける前記外層導体をスピーカーの高域用端子に接続するとともに、前記中央導体を低域用端子に接続する
スピーカー接続方法。
【発明の詳細な説明】
【技術分野】
【０００１】
この発明は、例えばハイレゾ音源などの広音域で繊細な音などを再現できるオーディオ用ケーブル及びスピーカー接続方法に関する。
【背景技術】
【０００２】
従来より、音源をクリアに再現するために様々な工夫がされている。例えば、特許文献１に記載のケーブルなどもそのひとつである。  
特許文献１に記載のケーブルは、芯材がアルミニウム太線で構成された単芯構造であり、芯材と絶縁体及び絶縁体とチューブシールドとのそれぞれの間に空気層が設けられており、これにより、従来のオーディオケーブルに比べて、再生音の音源が明確になり、音が明瞭でＳＮ比が高く、音の余韻と響きが原音により近くなるなど、音質を飛躍的に向上できるとされている。
【０００３】
昨今、ハイレゾ音源など、これまでの音源に比べて広音域で繊細な音などをクリアに再現したいという要望が高まってきている。しかしながら、導体中を流れる信号は、周波数が高くなるにしたがって、導体の表面に集中するという、いわゆる表皮効果と呼ばれる現象が生じる。
【０００４】
このような表皮効果が、例えば、特許文献１に記載されたような従来のオーディオケーブルで生じると、高周波数帯域の信号（以下において、高域信号という）に対する伝送路の有効断面積が減少することとなる。このように、伝送路の有効断面積が減少することは、導体抵抗値が増大することと同じ状態となり、高域信号の伝送効率が低下し、広音域で繊細な音をクリアに再現することができなかった。
【先行技術文献】
【特許文献】
【０００５】
【特許文献１】特開２００４−２２０７９７号公報
【発明の概要】
【発明が解決しようとする課題】
【０００６】
そこで、この発明は、広音域で繊細な音を高解像度でクリアに再現できるオーディオ用ケーブル及びスピーカー接続方法を提供することを目的とする。
【課題を解決するための手段】
【０００７】
この発明は、中央に配置した中央導体と、該中央導体の外周に沿って層状に配置し、絶縁被覆膜で被覆された複数の外層導体とで構成されたオーディオ用ケーブルであることを特徴とする。
【０００８】
上記中央導体や外層導体は、単線で構成してもよいし、複数本の導体で構成してもよい。また、複数の導体で構成する場合、複数の導体を撚り合わせた撚線導体で構成してもよい。  
上記オーディオ用ケーブルは、スピーカーとアンプなどの出力装置とを接続するスピーカーケーブル、例えば、プリアンプとパワーアンプとを接続するラインケーブル、又は電源ケーブルなどを含むものとする。
【０００９】
この発明により、広音域で繊細な音を高解像度でクリアに再現することができる。  
詳述すると、中央に配置した中央導体と、該中央導体の外周に沿って層状に配置し、絶縁被覆膜で被覆された複数の外層導体とでオーディオ用ケーブルを構成しているため、伝送経路を構成するケーブルの中心の導体と表面の導体とで構成が異なる、つまり導体構成が異なる二層構造のオーディオ用ケーブルを構成することができる。
【００１０】
これにより、中低周波数帯域の信号（以下において、中低域信号という）は中央に配置された中央導体を伝送され、高域信号は外周側の外層導体を伝送されるため、つまり、中低域信号の伝送経路と高域信号の伝送経路とを分離するため、従来のオーディオケーブルのように、表皮効果による高域信号の伝送効率の低下することなく、広音域で繊細な音を高解像度でクリアに再現することができる。
【００１１】
なお、人間が聴き取ることができる周波数帯域（以下において、可聴帯域）を超える高域信号による音が再現されると、再現された音の音質が柔らかくなる傾向にあるが、表皮効果による高域信号の伝送効率の低下を抑制できるため、可聴帯域を超える高域信号を効率よく伝送し、広音域で繊細な音を、柔らかな音質で再現することができる。
【００１２】
この発明の態様として、前記中央導体を覆う絶縁被覆層が設けられてもよい。  
この発明により、広音域で繊細な音を高解像度でよりクリアに再現することができる。
【００１３】
詳述すると、前記中央導体を覆う絶縁被覆層が設けられることにより、中央導体と外層導体とが確実に絶縁できるため、中低域信号の伝送経路と高域信号の伝送経路とを確実に分離でき、広音域で繊細な音を高解像度でよりクリアに再現することができる。
【００１４】
またこの発明の態様として、前記絶縁被覆層と、前記絶縁被覆膜とが同素材で構成されてもよい。  
この発明により、前記絶縁被覆層と、前記絶縁被覆膜との絶縁性が揃うため、前記中央導体と前記外層導体とを確実に絶縁できるとともに、前記中央導体と前記外層導体との比誘電率が揃うため、前記中央導体と前記外層導体とで信号の伝送速度が揃い、広音域で繊細な音を高解像度で忠実に再現することができる。
【００１５】
またこの発明の態様として、前記絶縁被覆膜が、前記絶縁被覆層より薄肉であってもよい。  
この発明により、前記外層導体のそれぞれを被覆する前記絶縁被覆膜によって、ケーブルの湾曲性が低下することを防止できる。
【００１６】
この発明の態様として、前記中央導体が複数の素線を撚り合わせた撚線導体で構成されてもよい。  
これにより、取り扱い性の高いオーディオ用ケーブルを構成することができる。  
【００１７】
具体的には、前記中央導体を単線で構成する場合、中低域信号を所望の伝送効率で伝送するためには、伝送経路としての導体の断面積を確保する必要があり、単線で構成する中央導体の径が大きくなる。このように中央導体が太径化すると、中央導体の可撓性は低下するため、オーディオ用ケーブルとしての可撓性も低下し、取り扱い性が低下する。
【００１８】
これに対し、前記中央導体を複数の素線を撚り合わせた撚線導体で構成することで、伝送性を確保する断面積を有する中央導体であっても、可撓性を有するため、オーディオ用ケーブルの可撓性が低下することなく、取り扱い性が向上することができる。
【００１９】
またこの発明の態様として、前記撚線導体が同芯撚りされ、前記外層導体が同芯横巻きで撚り合わされてもよい。  
この発明により、中央に配置した前記中央導体と、前記絶縁被覆膜で被覆された複数の前記外層導体とが、前記絶縁被覆層を挟んで、安定した二層構造のオーディオ用ケーブルを構成することができる。したがって、オーディオ用ケーブルを湾曲させたりしても広音域で繊細な音を高解像度で忠実に再現することができる。
【００２０】
またこの発明の態様として、前記撚線導体を構成する前記素線の本数が、前記外層導体の本数より多く、前記素線の断面径が前記外層導体の断面径以下であってもよい。  
この発明により、ケーブルを湾曲させた場合であっても、前記外層導体の本数より多く、前記素線の断面径が前記外層導体の断面径以下である前記撚線導体がケーブルの湾曲に追従するため、撚線導体で構成する該中央導体を覆う絶縁被覆層に局所的に負荷が作用することなく、該絶縁被覆層によって、撚線導体と前記外層導体とを確実に絶縁することができる。したがって、広音域で繊細な音を高解像度で忠実に再現することができる。
【００２１】
またこの発明の態様として、前記中央導体の断面積と、前記外層導体の合計断面積とが同程度であってもよい。  
これにより、前記中央導体を伝送される中低域信号の伝送効率と、外層導体を伝送される高域信号の伝送効率とが揃うため、広音域で繊細な音を高解像度で忠実に再現することができる。
【００２２】
またこの発明の態様として、前記外層導体が、銅製あるいは銅合金製の中央導線部と、該中央導線部の外周側に配置した銀製あるいは銀合金製の外周導線部を一体化させた複合導線と、該複合導線の外側を被覆する絶縁被覆膜とで構成されてもよい。  
【００２３】
この発明により、伝送される高域信号は複合導線においても表皮効果によりその外周側を伝送され、複合導線において、中央導線部の外周側に配置した銀製あるいは銀合金製の外周導線部は、銅製あるいは銅合金製の中央導線部より伝送効率が高いため、広音域で繊細な音をより高解像度で忠実に再現することができる。
【００２４】
またこの発明は、中央に配置した中央導体と、該中央導体を覆う絶縁被覆層と、該絶縁被覆層の外周に沿って層状に配置し、絶縁被覆膜で被覆された複数の外層導体とで構成された二層ケーブル導体が複数本配置され、シースで覆われたオーディオ用ケーブルであることを特徴とする。  
この発明により、複数の伝送路を備えたオーディオ用ケーブルを構成することができる。
【００２５】
またこの発明は、上記オーディオ用ケーブルにおける前記外層導体をスピーカーの高域用端子に接続するとともに、前記中央導体を低域用端子に接続するスピーカー接続方法であることを特徴とする。  
この発明により、前記高域信号を前記外層導体で伝送し、前記中低域信号を前記中央導体で伝送するバイワイヤリング接続を１本のオーディオ用ケーブルで実現することができる。
【発明の効果】
【００２６】
この発明により、広音域で繊細な音を高解像度でクリアに再現できるオーディオ用ケーブル及びスピーカー接続方法を提供することができる。
【図面の簡単な説明】
【００２７】
【図１】オーディオ用ケーブルの概略斜視図。
【図２】オーディオ用ケーブルの拡大断面図。
【図３】別の実施形態のオーディオ用ケーブルの拡大断面図。
【図４】オーディオ用ケーブルを用いたスピーカー接続の概略図。
【図５】さらに、別の実施形態のオーディオ用ケーブルの拡大断面図。
【図６】さらに、別の実施形態のオーディオ用ケーブルの拡大断面図。
【００２８】
この発明の一実施形態を以下図面に基づいて詳述する。  
なお、図１はオーディオ用ケーブル１０の概略斜視図を示し、図２はオーディオ用ケーブル１０の拡大断面図を示し、図３は外層導体４０ａを用いたオーディオ用ケーブル１０の拡大断面図を示し、図４はオーディオ用ケーブル１０を用いたスピーカー接続の概略図を示している。
【００２９】
この発明のオーディオ用ケーブル１０は、中央に配置した中央導体２０と、該中央導体２０を覆う絶縁被覆層３０と、該絶縁被覆層３０の外周に沿って層状に配置し、絶縁被覆膜４２で被覆された複数の外層導体４０とで構成されている。
【００３０】
詳述すると、オーディオ用ケーブル１０は、中央に配置した複数本の中央導体２０と、複数本の中央導体２０を一体的に覆う絶縁被覆層３０と、絶縁被覆層３０の外周に沿って層状に配置され、絶縁被覆膜４２で被覆された複数本の外層導体４０と、最外周を被覆するシース５０とで構成している。
【００３１】
中央導体２０は、複数本の素線２２を同芯撚りした撚線導体２１で構成し、さらに、同芯撚りして一体化して構成している。  
なお、本実施形態においては、断面径Ｒ２が０．２６ｍｍのＰＣ−ＴｒｉｐｌｅＣ（登録商標）製の素線２２を３７本同芯撚りして、およそ外径が１．８２ｍｍとなる撚線導体２１で中央導体２０を構成している。
【００３２】
外層導体４０は、素線２２より太径であり、単線である導線４１を、後述する絶縁被覆層３０と同素材で構成されているが薄肉である絶縁被覆膜４２で被覆した絶縁単線で構成している。
【００３３】
本実施形態においては、断面径Ｒ１が０．５０ｍｍのＰＣ−ＴｒｉｐｌｅＣ（登録商標）製の導線４１を、厚さが０．１５ｍｍのＰＦＡ（ポリテトラフルオロエチレン）製の絶縁被覆膜４２で被覆して、外径０．８０ｍｍの外層導体４０を構成している。なお、素線２２や導線４１としては、ＰＣ−ＴｒｉｐｌｅＣ（登録商標）製だけでなく、導電性の高い銅電線や銅合金電線、アルミ電線、あるいは、アルミ合金電線などで構成してもよい。
【００３４】
上述したように、複数本の素線２２を同芯撚りした撚線導体２１で構成した中央導体２０を、絶縁被覆層３０で被覆し、絶縁被覆層３０の外周に沿って、複数本の外層導体４０を配置し、同芯横巻きで撚り合わせ、シース５０で覆ってオーディオ用ケーブル１０を構成している。
【００３５】
本実施形態においては、絶縁被覆層３０は、厚さが０．２０ｍｍのＰＦＡ製であり、シース５０は厚さが１．１ｍｍの制振材入り耐燃性ポリオレフィン製である。  
また、素線２２で構成する撚線導体２１を一体的に被覆する絶縁被覆層３０の外周に沿って１２本の外層導体４０が同芯横巻きで撚り合わされて、オーディオ用ケーブル１０が構成されている。
【００３６】
なお、上述の説明では、外層導体４０を、素線２２より太径であり、ＰＣ−ＴｒｉｐｌｅＣ（登録商標）などの銅製あるいは銅合金製の単線である導線４１を、後述する絶縁被覆層３０と同素材で構成されているが薄肉である絶縁被覆膜４２で被覆した絶縁単線で構成したが、例えば、図３に示すように、導線４１に代わりに、例えば、ＰＣ−ＴｒｉｐｌｅＣ（登録商標）などの銅製あるいは銅合金製の中央導線部４１ａａと、中央導線部４１ａａの外周側に配置した銀製あるいは銀合金製の外周導線部４１ａｂとを一体化させた複合導線４１ａとともに、複合導線４１ａの外側を絶縁被覆膜４２で被覆して絶縁複合単線で構成した外層導体４０ａを用いてもよい。
【００３７】
このとき、複合導線４１ａを構成する中央導線部４１ａａと外周導線部４１ａｂとは、断面径Ｒ１において、中央導線部４１ａａと外周導線部４１ａｂとの比率が５：５乃至９：１の範囲内となるように構成されている。なお、銀製あるいは銀合金製の外周導線部４１ａｂは銅製あるいは銅合金製の中央導線部４１ａａに比べて導電性が高いものの、高価である。また、図３に図示する実施形態では、中央導線部４１ａａと外周導線部４１ａｂとの比率が５：５乃至９：１の範囲内のうち７：３に設定している。
【００３８】
このように、オーディオ用ケーブル１０は、中央に配置した中央導体２０と、中央導体２０を覆う絶縁被覆層３０と、絶縁被覆層３０の外周に沿って層状に配置し、絶縁被覆膜４２で被覆された複数の外層導体４０（４０ａ）とで構成されているため、広音域で繊細な音を高解像度でクリアに再現することができる。
【００３９】
詳述すると、中央に配置した中央導体２０と、中央導体２０を覆う絶縁被覆層３０と、絶縁被覆層３０の外周に沿って層状に配置し、絶縁被覆膜４２で被覆された複数の外層導体４０（４０ａ）とで構成されているため、伝送経路を構成するケーブルの中心に配置された中央導体２０と、表面（外側）に配置された外層導体４０（４０ａ）とで構成が異なる、つまり導体構成が異なる二層構造のオーディオ用ケーブル１０を構成することができる。
【００４０】
これにより、中低域信号は中央に配置された中央導体２０を伝送され、高域信号は外周側の外層導体４０（４０ａ）を伝送されるため、つまり、中低域信号の伝送経路と高域信号の伝送経路とを分離して伝送するため、従来のオーディオ用ケーブルのように、表皮効果によって高域信号の伝送効率が低下することなく、広音域で繊細な音を高解像度でクリアに再現することができる。
【００４１】
なお、人間が聴き取ることができる可聴帯域を超える高域信号による音が再現されると、再現された音の音質が柔らかくなる傾向にあるが、オーディオ用ケーブル１０は外層導体４０（４０ａ）によって表皮効果による高域信号の伝送効率の低下を抑制でき、可聴帯域を超える高域信号を効率よく伝送し、広音域で繊細な音を、柔らかな音質で再現することができる。
【００４２】
なお、中央導体２０が複数の素線２２を撚り合わせた撚線導体２１で構成しているため、取り扱い性の高いオーディオ用ケーブル１０を構成することができる。  
具体的には、中央導体を単線で構成する場合、所定の中低域信号を所望の伝送効率で伝送するためには、伝送経路としての導体の断面積を確保する必要があり、単線で構成する中央導体の径が大きくなる。このように中央導体が太径化すると、中央導体の可撓性は低下するため、オーディオ用ケーブルとしての可撓性も低下し、取り扱い性が低下する。
【００４３】
これに対し、複数の素線２２を撚り合わせた撚線導体２１で中央導体２０を構成することで、伝送性を確保する断面積を有する中央導体２０であっても、可撓性を有するため、オーディオ用ケーブル１０の可撓性が低下することなく、取り扱い性が向上することができる。
【００４４】
また、中央導体２０を構成する撚線導体２１は同芯撚りされた素線２２で構成され、外層導体４０（４０ａ）が同芯横巻きで撚り合わされているため、中央に配置した中央導体２０と、絶縁被覆膜４２で被覆された複数の外層導体４０（４０ａ）とが、絶縁被覆層３０を挟んで、安定した二層構造のオーディオ用ケーブル１０を構成することができる。したがって、オーディオ用ケーブル１０を湾曲させたりしても広音域で繊細な音を高解像度で忠実に再現することができる。
【００４５】
また、撚線導体２１を構成する素線２２の本数（本実施形態では３７本）が、外層導体４０（４０ａ）の本数（本実施形態では１２本）より多く、素線２２の断面径Ｒ２（本実施形態では０．２６ｍｍ）が外層導体４０（４０ａ）における導線４１（複合導線４１ａ）の断面径Ｒ１以下（本実施形態では０．５０ｍｍ）であるため、オーディオ用ケーブル１０を湾曲させた場合であっても、外層導体４０（４０ａ）の本数より多く、素線２２の断面径Ｒ２が外層導体４０（４０ａ）の断面径Ｒ１以下である撚線導体２１がオーディオ用ケーブル１０の湾曲に追従する。
【００４６】
そのため、撚線導体２１で構成する中央導体２０を覆う絶縁被覆層３０に対して局所的に負荷が作用することなく、絶縁被覆層３０によって、中央導体２０と外層導体４０（４０ａ）とを確実に絶縁することができる。したがって、広音域で繊細な音を高解像度で忠実に再現することができる。
【００４７】
また、中央導体２０の断面積と、外層導体４０（４０ａ）の合計断面積とが同程度であるため、中央導体２０を伝送される中低域信号の伝送効率と、外層導体４０（４０ａ）を伝送される高域信号の伝送効率とが揃うため、広音域で繊細な音を高解像度で忠実に再現することができる。
【００４８】
しかしながら、出力される音における高音域を抑える場合、つまり低音域を効かせる場合には、外層導体４０（４０ａ）の合計断面積を中央導体２０の断面積に比べて少なくし、逆に、出力される低音域を抑える場合、つまり高音域を効かせる場合には、外層導体４０（４０ａ）の合計断面積を中央導体２０の断面積に比べて増やすなど、外層導体４０（４０ａ）の合計断面積と中央導体２０の断面積の比率によって出力される音をチューニングすることができる。
【００４９】
また、絶縁被覆層３０と、絶縁被覆膜４２とが同素材であるＰＦＡ製であるため、絶縁被覆層３０と、絶縁被覆膜４２との絶縁性が揃うため、中央導体２０と外層導体４０（４０ａ）とを確実に絶縁し、広音域で繊細な音を高解像度で忠実に再現することができる。
【００５０】
なお、導線４１（複合導線４１ａ）を被覆する絶縁被覆膜４２、及び複数本の素線２２を同芯撚りした撚線導体２１を一体的に被覆する絶縁被覆層３０がともにＰＦＡ製であるが、ＰＥ製やＰＰ製で構成してもよい。  
しかしながら、他のＰＥ製やＰＰ製の絶縁材に比べ、ＰＦＡ製の絶縁被覆膜４２及び絶縁被覆層３０は比誘電率が低いため、高域信号及び中低域信号の伝送効率がともに高く、中央導体２０を伝送される中低域信号の伝送速度と、外層導体４０（４０ａ）を伝送される高域信号の伝送速度とが揃うため、広音域で繊細な音を高解像度で忠実に再現することができる。
【００５１】
また、絶縁被覆膜４２が、絶縁被覆層３０より薄肉であるため、外層導体４０（４０ａ）のそれぞれを被覆する絶縁被覆膜４２によって、オーディオ用ケーブル１０の湾曲性が低下することを防止できる。
【００５２】
より具体的には、絶縁被覆膜４２を被覆する導線４１（複合導線４１ａ）は、複数本の素線２２をまとめて被覆しながら、絶縁性を確保する絶縁被覆層３０の絶縁性が低下した場合であっても、中央導体２０と絶縁被覆膜４２との絶縁性が確保できるように構成しているため、つまり、絶縁被覆層３０による絶縁性をより確実にするために設けているため、可能な範囲で薄く構成している。
【００５３】
これにより、絶縁被覆膜４２による外層導体４０（４０ａ）の可撓性低下を抑制でき、複数本の素線２２をまとめて絶縁被覆層３０で被覆し、その外周に沿って外層導体４０（４０ａ）を同芯横巻きで撚り合わせて構成したオーディオ用ケーブル１０の可撓性を確保することができる。
【００５４】
また、導線４１に代わりに、例えば、ＰＣ−ＴｒｉｐｌｅＣ（登録商標）などの銅製あるいは銅合金製の中央導線部４１ａａと、中央導線部４１ａａの外周側に配置した銀製あるいは銀合金製の外周導線部４１ａｂとを一体化させた複合導線４１ａの外側を絶縁被覆膜４２で被覆して絶縁複合単線で構成し、高域信号が伝送される外層導体４０ａにおいて、伝送される高域信号は複合導線４１ａにおいても表皮効果によりその外周側を伝送され、複合導線４１ａにおいて、中央導線部４１ａａの外周側に配置した銀製あるいは銀合金製の外周導線部４１ａｂは、銅製あるいは銅合金製の中央導線部４１ａａより伝送効率が高いため、広音域で繊細な音をより高解像度で忠実に再現することができる。
【００５５】
また、中央導線部４１ａａの外表面に銀メッキした銀メッキ電線の場合、中央導線部４１ａａの外表面とメッキ層とが互いに食い込み、高域信号の伝送効率が低下するおそれがあるが、銅製あるいは銅合金製の中央導線部４１ａａと、中央導線部４１ａａの外周側に配置した銀製あるいは銀合金製の外周導線部４１ａｂとを一体化させた複合導線４１ａは、中央導線部４１ａａの外表面と外周導線部４１ａｂの内表面との境界面が滑らかであるため、高域信号の伝送効率が低下することなく、高域信号は伝送効率の高い銀製あるいは銀合金製の外周導線部４１ａｂを伝送され、広音域で繊細な音をより高解像度で忠実に再現することができる。
【００５６】
なお、複合導線４１ａを構成する中央導線部４１ａａと外周導線部４１ａｂとは、断面径Ｒ１において、中央導線部４１ａａと外周導線部４１ａｂとの比率が５：５乃至９：１の範囲内となるように構成されているが、中央導線部４１ａａと外周導線部４１ａｂとの比率が５：５乃至９：１の範囲内を超える場合、上述したような効果に加え、費用対効果の高いオーディオ用ケーブル１０を得ることができない。
【００５７】
具体的には、前記比率が９．５：０．５となるように上記範囲を上回る場合は、複合導線４１ａにおける外周側を高域信号が伝送されても、外周導線部４１ａｂの厚みが薄く、外周導線部４１ａｂによる伝送効率の向上を図ることはできない。
【００５８】
逆に、前記比率が４：６となるように上記範囲を下回る場合は、複合導線４１ａにおける外周側を伝送される高域信号の外周導線部４１ａｂによる伝送効率を向上することはできるものの、銅製あるいは銅合金製の中央導線部４１ａａより銀製あるいは銀合金製の外周導線部４１ａｂは高価であるため、伝送効率の向上に対するオーディオ用ケーブル１０の費用対効果が低くなる。したがって、中央導線部４１ａａと外周導線部４１ａｂとの比率が５：５乃至９：１の範囲内を超える場合、上述したような効果に加え、費用対効果の高いオーディオ用ケーブル１０を得ることができない。
【００５９】
次に、上述したように構成し、高域信号や中低域信号の伝送効率が高く、広音域で繊細な音を高解像度で忠実に再現することができるオーディオ用ケーブル１０を用いたスピーカー接続について、図４とともに説明する。
【００６０】
また、オーディオ用ケーブル１０を用いてスピーカー接続するためには、オーディオ用ケーブル１０における一端側の外層導体４０（４０ａ）と中央導体２０のそれぞれに接続端子６０を取付け、オーディオ用ケーブル１０における他端側において、中央導体２０と外層導体４０（４０ａ）とをまとめて接続端子６０を取付ける。
【００６１】
そして、図４に示すように、オーディオ用ケーブル１０の他端側の接続端子６０を、パワーアンプなどの出力装置１１０における出力端子１１１におけるＨｏｔ又はＣｏｌｄのいずれか一方に接続し、一端側において外層導体４０（４０ａ）に取り付けた接続端子６０をスピーカー１００の高域用端子１０１におけるＨｏｔ又はＣｏｌｄのいずれか一方に接続するとともに、中央導体２０に取り付けた接続端子６０を低域用端子１０２におけるＨｏｔ又はＣｏｌｄのいずれか一方に接続する。これを、Ｈｏｔ及びＣｏｌｄの両方に対して行い、スピーカー１００と出力装置１１０とを接続する。
【００６２】
上述したようなオーディオ用ケーブル１０を用いたスピーカー接続では、高域信号を外層導体４０（４０ａ）で伝送し、中低域信号を中央導体２０で伝送するため、高域信号の伝送用のケーブルと中低域信号の伝送用のケーブルとで接続していたバイワイヤリング接続をＨｏｔとＣｏｌｄのそれぞれで１本のオーディオ用ケーブル１０で実現することができる。
【００６３】
なお、接続端子６０を用いて、外層導体４０（４０ａ）と高域用端子１０１、及び中央導体２０と低域用端子１０２を接続したが、接続端子６０を用いることなく、外層導体４０（４０ａ）を縒り合せて高域用端子１０１に接続するとともに、中央導体２０を低域用端子１０２に接続してもよい。
【００６４】
また、出力装置１１０における出力端子１１１として、高域用出力端子と中低域用出力端子が設けられている場合、オーディオ用ケーブル１０の他端側において、外層導体４０（４０ａ）及び中央導体２０にそれぞれ接続端子６０を取付けて、あるいはそのまま出力装置１１０における高域用出力端子と中低域用出力端子とに接続することでバイワイヤリング接続することができる。
【００６５】
また、高域用端子１０１や低域用端子１０２がなく単に入力端子が設けられているスピーカー１００や、高域用端子１０１及び低域用端子１０２にショートジャンパープレートやジャンパー線が取り付けられているスピーカー１００に接続する場合は、オーディオ用ケーブル１０における両端側において外層導体４０（４０ａ）と中央導体２０をまとめて接続端子６０を取付け、オーディオ用ケーブル１０の他端側の接続端子６０を、パワーアンプなどの出力装置１１０における出力端子１１１におけるＨｏｔ又はＣｏｌｄのいずれか一方に接続し、一端側に取り付けた接続端子６０をスピーカー１００の入力端子におけるＨｏｔ又はＣｏｌｄのいずれか一方に接続するとともに、これを、Ｈｏｔ及びＣｏｌｄの両方に対して行い、スピーカー１００と出力装置１１０とを接続する。
【００６６】
上述したようなオーディオ用ケーブル１０を用いたスピーカー接続であっても、高域信号を外層導体４０（４０ａ）で伝送し、中低域信号を中央導体２０で伝送するため、高域信号の伝送用のケーブルと中低域信号の伝送用のケーブルとで接続していたバイワイヤリング接続をＨｏｔとＣｏｌｄのそれぞれで１本のオーディオ用ケーブル１０で実現することができる。
【００６７】
また、上述の説明では、複数本の素線２２を同芯撚りした撚線導体２１で構成した中央導体２０を、絶縁被覆層３０で被覆し、絶縁被覆層３０の外周に沿って、複数本の外層導体４０（４０ａ）を配置し、同芯横巻きで撚り合わせ、シース５０で覆ってオーディオ用ケーブル１０を構成したが、複数本の二層ケーブル導体１０ａを内在させてオーディオ用ケーブル１を構成してもよい。
【００６８】
具体的には、オーディオ用ケーブル１は、図５に示すように、複数本の素線２２を同芯撚りした撚線導体２１で構成した中央導体２０を、絶縁被覆層３０で被覆し、絶縁被覆層３０の外周に沿って、絶縁被覆膜４２で被覆された複数本の外層導体４０（４０ａ）を配置し、同芯横巻きで撚り合わせて二層ケーブル導体１０ａを構成し、２本の二層ケーブル導体１０ａを２芯撚りし、シルク糸による介在７１を配置し、まとめて紙テープ７２で押え巻きし、その外側をシース５０で被覆して構成している。
【００６９】
このように、複数本の二層ケーブル導体１０ａが配置され、シース５０で覆って構成したオーディオ用ケーブル１は、複数の伝送路を備えている。そのため、図示省略するが、オーディオ用ケーブル１を構成する２本の二層ケーブル導体１０ａのそれぞれにおける外層導体４０（４０ａ）をスピーカー１００の高域用端子１０１に接続するとともに、中央導体２０を低域用端子１０２に接続することで、バイワイヤリング接続をＨｏｔとＣｏｌｄもまとめて１本のオーディオ用ケーブル１で実現することができる。
【００７０】
上述の実施形態の構成のみに限定されるものではなく、請求項に示される技術思想に基づいて応用することができ、多くの実施の形態を得ることができる。  
例えば、上述の説明では、一例として、複数本の素線２２を同芯撚りした撚線導体２１で構成した中央導体２０を、絶縁被覆層３０で被覆し、絶縁被覆層３０の外周に沿って、複数本の外層導体４０（４０ａ）を配置し、同芯横巻きで撚り合わせ、シース５０で覆って構成したが、中央導体２０を単線で構成してもよいし、外層導体４０（４０ａ）を撚線導体で構成してもよい。
【００７１】
また、中央導体２０を構成する撚線導体２１における素線２２の撚り合せ本数や、外層導体４０（４０ａ）の本数、あるいは素線２２の断面径Ｒ２や導線４１の断面径Ｒ１、さらには、絶縁被覆層３０及び絶縁被覆膜４２の素材やその厚みなどは、本発明の技術思想の範囲において適宜設定すればよい。
【００７２】
また、図６に示すように、中央導体２０を絶縁被覆層で被覆することなく、中央導体２０の外周に沿って、絶縁被覆膜４２で被覆された複数本の外層導体４０（４０ａ）を配置し、同芯横巻きで撚り合わせ、シース５０で覆って構成し、ラインケーブルとして用いてもよい。
【符号の説明】
【００７３】
１，１０…オーディオ用ケーブル
１０ａ…二層ケーブル導体
２０…中央導体
２１…撚線導体
２２…素線
３０…絶縁被覆層
４０（４０ａ）…外層導体
４２…絶縁被覆膜
５０…シース
１００…スピーカー
１０１…高域用端子
１０２…低域用端子
Ｒ１…外層導体の断面径
Ｒ２…素線の断面径
【図１】
2019003764.tif 000003
【図２】
2019003764.tif 000004
【図３】
2019003764.tif 000005
【図４】
2019003764.tif 000006
【図５】
2019003764.tif 000007
【図６】
2019003764.tif 000008